(57)【要約】【課題】バスレフポートからの音波による２重スピーカネットの摩擦を防止してビビリ音の発生を防止することができるスピーカ装置を提供する。【解決手段】スピーカボックス10の表面には、スピーカパネル20、布ネット30及びパンチングネット40が配設されている。パンチングネット40は金属のような機械的強度が高い材質からなり、布ネット30は黒色又は茶色のような濃色系の布のような材質からなる。スピーカパネル20のバスレフポート14に対応する位置には貫通孔20ａが成形されており、貫通孔20ａに、柔軟性を有する繊維状の三次元構造の骨格組織を有するフィルタ材より成るスペーサ50が嵌挿されている。スペーサ50は、布ネット30をパンチングネット40に押圧して、バスレフポート14を通じて放射した音波が布ネット30を振動させることを緩和するものであり、振動した布ネット30がパンチングネット40を叩くことを防止してビビリ音の発生を防止する。【選択図】図２
2007104112.tif 000002
【特許請求の範囲】
【請求項１】
前面に１又は複数のスピーカ及びバスレフポートが設けられたボックスと、該ボックスを覆い、前記バスレフポートの対応位置に貫通孔が設けられたパネルと、該パネルの前面を覆う第１ネットと、該第１ネットを覆う第２ネットとを有するスピーカ装置において、
前記貫通孔に、前記第１ネットを前記第２ネットに押圧して、前記バスレフポートから放射される音波によって前記第１ネットが振動することを緩和するための振動緩和部材が設けられていること
を特徴とするスピーカ装置。
【請求項２】
前記振動緩和部材は、前記第１ネットより粗い繊維状構造を有すること
を特徴とする請求項１に記載のスピーカ装置。
【請求項３】
前記第１ネットには、前記バスレフポートに対応する貫通孔が存在しないこと
を特徴とする請求項１又は請求項２に記載のスピーカ装置。
【請求項４】
前面に１又は複数のスピーカ及びバスレフポートが設けられたボックスと、該ボックスを覆い、前記バスレフポートの対応位置に貫通孔が設けられたパネルと、該パネルの前面を覆う第１ネットと、該第１ネットを覆う第２ネットとを有するスピーカ装置において、
前記貫通孔に対応する前記第１ネットの位置には、前記貫通孔以上の大きさを有する貫通孔が設けられていること
を特徴とするスピーカ装置。
【請求項５】
前記第２ネットには、前記バスレフポートに対応する貫通孔が存在しないこと
を特徴とする請求項１乃至請求項４のいずれか１つに記載のスピーカ装置。
【請求項６】
請求項１乃至請求項５のいずれか１つに記載のスピーカ装置を搭載したことを特徴とする表示装置。
【発明の詳細な説明】
【技術分野】
【０００１】
本発明は、スピーカネットが２つのネットから構成されたスピーカ装置及び該スピーカ装置を搭載した表示装置に関し、より具体的には、２つのネットが摩擦することによって生じるビビリ音の発生を極めて簡単に防止することができるスピーカ装置及び該スピーカ装置を搭載した表示装置に関する。
【背景技術】
【０００２】
スピーカボックスの前面に低域増強用バスレフポート（以下、バスレフポート）を設けたスピーカ装置は、簡単に低音域の音圧を増幅することができるので、従来から多用されている。ところで、バスレフポートからは、低域成分に混じって中高域成分の音波が放射される。
【０００３】
そこで、特許文献１には、スピーカの前面に開口部が細長く、略矩形形状に近い形状に構成された音波を導く音響管を結合し、この音響管を構成する矩形側の壁面の片側又は両側に近接配置されたバスレフポートの壁面の一部を吸音材を用いて構成したスピーカ装置が開示されている。このような構成のスピーカ装置は、バスレフポートより放射される中高域成分を吸音材によって削除して、音響管より放射される音波の乱れを防ぐことができる。
【０００４】
しかしながら、上述した構成のスピーカ装置は、バスレフポートより放射される中高域成分を吸音材によって吸音することができるが、バスレフポートから放射された低音域成分によって前面に設けられたスピーカネットが音圧により共振しビビリ音が発生するという問題があった。
【０００５】
そこで、特許文献２には、スピーカボックスに設けたバスレフポートの前面に座繰部を配設することにより、音圧が拡散されて減衰し、スピーカネットの共振を防止してビビリ音の発生を防止する技術が開示されている。
【特許文献１】特開平６−２３７４９８号公報
【特許文献２】実開平７−１１０８９号公報
【発明の開示】
【発明が解決しようとする課題】
【０００６】
特許文献２に開示された技術は、スピーカネットがスピーカボックスに固定されている場合に効果が生じる。しかしながら、図６に示すように、スピーカネット１５０が布ネット１５１及びパンチングネット１５２の２重構造であり、スピーカ１２０を備えるスピーカ装置１００に特許文献２に開示された技術を適用した場合、内側のネット（布ネット１５１）がフリー状態であることから、スピーカボックス１１０によって音圧が向上され、バスレフポート１３０から放射された低音域の音波によって、布ネット１５１が振動し、この振動によって布ネット１５１が外側のネット（パンチングネット１５２）を叩き、ビビリ音が発生するという問題があった。このように、スピーカボックス１１０の前面に設けるスピーカパネル１４０のバスレフポート１３０に対応する位置に座繰部１４０ａを設けたとしても、音波による空気圧を抑制することは困難であり、この空気圧によって布ネット１５１及びパンチングネット１５２が摩擦してビビリ音が発生する。
【０００７】
本発明は斯かる事情に鑑みてなされたものであり、ボックスの前面に１又は複数のスピーカ及びバスレフポートを設け、バスレフポートの対応位置に貫通孔を有するパネルでボックスを覆い、貫通孔に振動緩和部材を設けるとともに、パネルの前面を第１ネット及び第２ネットの２重構造で覆う構成とすることにより、意匠上の観点からバスレフポートを隠した場合であっても、振動緩和部材が第１ネットを第２ネットに押圧して、バスレフポートからの音波による２重スピーカネットの摩擦を防止してビビリ音の発生を防止することができるスピーカ装置及び該スピーカ装置を搭載した表示装置の提供を目的とする。
【０００８】
また本発明は、ボックスの前面に１又は複数のスピーカ及びバスレフポートを設け、バスレフポートの対応位置に貫通孔を有するパネルでボックスを覆い、パネルの前面をパネルに設けた貫通孔より大きな貫通孔を有する第１ネット及び第２ネットの２重構造で覆う構成とすることにより、意匠上の観点からバスレフポートを隠した場合であっても、バスレフポートからの音波による２重スピーカネットの摩擦を防止してビビリ音の発生を防止することができるスピーカ装置及び該スピーカ装置を搭載した表示装置の提供を目的とする。
【課題を解決するための手段】
【０００９】
本発明に係るスピーカ装置は、前面に１又は複数のスピーカ及びバスレフポートが設けられたボックスと、該ボックスを覆い、前記バスレフポートの対応位置に貫通孔が設けられたパネルと、該パネルの前面を覆う第１ネットと、該第１ネットを覆う第２ネットとを有するスピーカ装置において、前記貫通孔に、前記第１ネットを前記第２ネットに押圧して、前記バスレフポートから放射される音波によって前記第１ネットが振動することを緩和するための振動緩和部材が設けられていることを特徴とする。
【００１０】
本発明にあっては、ボックスの前面に１又は複数のスピーカ及びバスレフポートを設ける。そして、バスレフポートの対応位置に貫通孔を有するパネルでボックスを覆う。さらに、パネルの前面を第１ネット及び第２ネットの２重構造で覆う。第１ネットを第２ネットに押圧する振動緩和部材を貫通孔に設け、バスレフポートから放射される音波によって第１ネットが振動することを緩和する。これにより、第１ネットがフリー状態であっても、バスレフポートに対応する位置の第１ネットの部分が第２ネットに押圧されているので、バスレフポートから放射される音波によって第１ネットは振動しない。つまり、第１ネットが第２ネットを叩くことを抑制でき、ビビリ音の発生を防止することができる。
【００１１】
本発明に係るスピーカ装置は、前記振動緩和部材が、前記第１ネットより粗い繊維状構造を有することを特徴とする。
【００１２】
本発明にあっては、振動緩和部材が前方の第１ネットより粗い繊維状構造を有することから、音圧の大幅な低下を抑えることができる。
【００１３】
本発明に係るスピーカ装置は、前記第１ネットには、前記バスレフポートに対応する貫通孔が存在しないことを特徴とする。
【００１４】
本発明にあっては、第１ネットに、バスレフポートに対応する貫通孔が存在しない場合であっても、バスレフポートから放射される音波によって第１ネットが振動しないことから、第１ネットが第２ネットを叩くことを抑制でき、ビビリ音の発生を防止することができる。また、第１ネットは、第２ネットからスピーカ装置（ボックス）の内部が透けて見えるのを防止することができ、意匠上の観点に優れる。
【００１５】
本発明に係るスピーカ装置は、前面に１又は複数のスピーカ及びバスレフポートが設けられたボックスと、該ボックスを覆い、前記バスレフポートの対応位置に貫通孔が設けられたパネルと、該パネルの前面を覆う第１ネットと、該第１ネットを覆う第２ネットとを有するスピーカ装置において、前記貫通孔に対応する前記第１ネットの位置には、前記貫通孔以上の大きさを有する貫通孔が設けられていることを特徴とする。
【００１６】
本発明にあっては、ボックスの前面に１又は複数のスピーカ及びバスレフポートを設ける。そして、バスレフポートの対応位置に貫通孔を有するパネルでボックスを覆う。さらに、パネルの前面を第１ネット及び第２ネットの２重構造で覆う。貫通孔に対応した第１ネットの位置に、その貫通孔と同一又は貫通孔より大きな貫通孔を設け、バスレフポートから放射される音波によって第１ネットが振動することを緩和する。これにより、第１ネットがフリー状態であっても、バスレフポートから放射される音波によって第１ネットが振動しないことから、第１ネットが第２ネットを叩くことを抑制でき、ビビリ音の発生を防止することができる。
【００１７】
本発明に係るスピーカ装置は、前記第２ネットには、前記バスレフポートに対応する貫通孔が存在しないことを特徴とする。
【００１８】
本発明にあっては、第２ネットに、バスレフポートに対応する貫通孔が存在しないので、意匠上の観点に優れるとともに、スピーカを保護することができる。
【００１９】
本発明に係る表示装置は、上述した各発明のいずれか１つのスピーカ装置を搭載したことを特徴とする。
【００２０】
本発明にあっては、上述した各発明のいずれか１つのスピーカ装置を搭載していることから、雑音となるビビリ音の発生がなく、雑音の煩わしさから解放することができる。
【発明の効果】
【００２１】
本発明によれば、ボックスの前面に１又は複数のスピーカ及びバスレフポートを設け、バスレフポートの対応位置に貫通孔を有するパネルでボックスを覆い、第１ネットを第２ネットに押圧する振動緩和部材を貫通孔に設けるとともに、パネルの前面を第１ネット及び第２ネットの２重構造で覆う構成としたので、第１ネットがフリー状態であっても、バスレフポートに対応する位置の第１ネットの部分が第２ネットに押圧されているので、バスレフポートから放射される音波によって第１ネットが振動しない。したがって、第１ネットが第２ネットを叩くことを抑制でき、ビビリ音の発生を防止することができる。
【００２２】
本発明によれば、振動緩和部材が前方の第１ネットより粗い繊維状構造を有する構成としたので、音圧の大幅な低下を抑えることができる。
【００２３】
本発明によれば、第１ネットにはバスレフポートに対応する貫通孔が存在しない構成としたので、外部（第２ネット）からスピーカ装置（ボックス）の内部が透けて見えるのを防止することができ、意匠上の観点に優れる。
【００２４】
本発明によれば、ボックスの前面に１又は複数のスピーカ及びバスレフポートを設け、バスレフポートの対応位置に貫通孔を有するパネルでボックスを覆い、パネルの前面をパネルに設けた貫通孔より大きな貫通孔を有する第１ネット及び第２ネットの２重構造で覆う構成としたので、第１ネットがフリー状態であっても、バスレフポートから放射される音波によって第１ネットが振動しないので、第１ネットが第２ネットを叩くことを抑制でき、ビビリ音の発生を防止することができる。
【００２５】
本発明によれば、第２ネットにはバスレフポートに対応する貫通孔が存在しない構成としたので、意匠上の観点に優れるとともに、スピーカを保護することができる等、優れた効果を奏する。
【発明を実施するための最良の形態】
【００２６】
以下、本発明をその実施の形態を示す図面に基づいて詳述する。
【００２７】
（実施の形態１）
図１は本発明に係るスピーカ装置を搭載した液晶表示装置を示す斜視図である。
本発明に係る液晶表示装置は、背面側にバックライトが設けられた液晶パネル１が前面キャビネット２及び背面キャビネット３によって形成された空間内に配置されている。液晶パネル１は、液晶パネル１の外寸と適合する寸法を有する図示しない支持枠に固定されている。支持枠には、支持枠の上下に対向する２辺間を連結するように、上下方向に伸びる２本の支柱が固定され、支柱にスタンド４が取付けられている。また、前面キャビネット２の左右辺縁側には、本発明に係る縦長のスピーカ装置５，５が配設されている。
【００２８】
図２は本発明の実施の形態１に係るスピーカ装置の構成を示す分解斜視図、図３は右側断面図である。
本発明の実施の形態１に係るスピーカ装置５は、スピーカボックス１０、スピーカパネル２０、第１ネットとしての布ネット３０、及び第２ネットとしてのパンチングネット４０を備えている。
【００２９】
スピーカボックス１０の前面を形成するバッフル１０ａの略中央から下側方向にかけては、高音域用スピーカ（ツイーター）１１、中音域用スピーカ（スコーカー）１２、低音域用スピーカ（ウーファー）１３、及びバスレフポート１４が設けられている。スピーカ１１，１２，１３により再生された音波は、スピーカ１１，１２，１３の前方から放射されるとともに、低音域の音波はスピーカボックス１０によって音圧が向上され、バスレフポート１４から放射される。
【００３０】
また、スピーカボックス１０の表面には、スピーカパネル２０、布ネット３０及びパンチングネット４０がこの順で配設されている。スピーカパネル２０はプラスチック成形からなり、スピーカパネル２０の各スピーカ１１，１２，１３に対応する位置には放射状の枝のような成形がなされ、バスレフポート１４に対応する位置には貫通孔２０ａが成形されている。スピーカパネル２０を上述のように成形することにより、スピーカボックス１０の表面にスピーカパネル２０を取付けた後であっても、スピーカの上下を容易に把握することができ、スピーカ装置５の組立工程で上下を間違えるような組立ロスが発生することはない。
【００３１】
パンチングネット４０は、スピーカ１１，１２，１３を保護すべく、金属のような機械的強度の高い材質からなり、周縁部に設けられた突起部でスピーカボックス１０に固定されている。また、パンチングネット４０の表面は、適宜ピッチの網目形状を有し、スピーカ１１，１２，１３から放射される音波、及びバスレフポート１４から放射される低音域の音波を通過させる。
【００３２】
一方、布ネット３０は、パンチングネット４０からスピーカ装置５の内部が透けて見えるのを防止するためのものであり、黒色又は茶色のような濃色系の布のような材質からなるとともに、パンチングネット４０のピッチより狭ピッチの網目形状を有する。布ネット３０は、パンチングネット４０及びスピーカパネル２０の間隙に外周を溶着して配置されている。
【００３３】
また、本例では、スピーカパネル２０に設けられた貫通孔２０ａに、柔軟性（伸縮性）を有する繊維状の三次元構造の骨格組織を有するフィルタ材より成るスペーサ５０が嵌挿されている。スペーサ５０の伸張時の厚さは、貫通孔２０ａの高さより厚くなっており、このスペーサ５０を収縮した状態で貫通孔２０ａに嵌挿する。すると、スペーサ５０が伸張し、スペーサ５０が布ネット３０をパンチングネット４０に押圧する状態となる。
【００３４】
スペーサ５０としては、例えば、ポリウレタンフォームを特殊加工し、膜状物質を完全に除去したものであって、空孔率が９７％以上の三次元構造の骨格組織化されたエバーライトＳＦ（（株）ブリジストン製）を用いることができる。膜状物質が完全に除去されているので、通気抵抗が低く、音圧（特に低音域の音圧）の低下を抑制することができる。なお、本例では、セル（空孔）の密度が６〜１０コ／２５ｍｍ、伸び率が２００％以上、引張強度が１．０ｋｇ／ｃｍ2 以上、硬度が７．０〜１３．０ｋｇｆの物性を有する材質（ＨＲ−０８）のものを用いた。
【００３５】
このように、スペーサ５０は、当該部分の布ネット３０をパンチングネット４０に押圧することにより、バスレフポート１４を通じて放射した音波による空気圧が、布ネット３０を振動させることを緩和するものであり、振動した布ネット３０がパンチングネット４０を叩くことを防止してビビリ音の発生を防止する。なお、スペーサ５０、布ネット３０及びパンチングネット４０のバスレフポート１４の前方への配置によって、５０〜１００Ｈｚの低音域の音圧が数デシベル低下するが、聴感上、問題になるレベルではないことを確認した。
【００３６】
本実施の形態の主旨は、スペーサ５０をスピーカパネル２０の貫通孔２０ａに配置する、すなわち、スペーサ５０をスピーカパネル２０と布ネット３０との間隙に配置して、スペーサ５０が布ネット３０をパンチングネット４０に押圧する構成とすることにより、バスレフポート１４からの音波によって布ネット３０がパンチングネット４０を叩くことを防止することにあり、音抜けの低下を抑制するため、スペーサ５０の繊維状構造は粗いことが好ましく、例えば、布ネット３０より粗い繊維状構造とすることで、音圧の大幅な低下を抑えることができる。つまり、スペーサ５０は、音波が布ネット３０を振動させない程度に、布ネット３０をパンチングネット４０に押圧していればよい。
【００３７】
また、本実施の形態では、布ネット３０にはバスレフポート１４に対応する貫通孔が存在しないので、パンチングネット４０からスピーカ装置５（スピーカボックス１０）の内部が透けて見えるのを防止することができる。また、パンチングネット４０にはバスレフポート１４に対応する貫通孔が存在しないので、意匠上の観点に優れるとともに、スピーカを保護することができる。
【００３８】
（実施の形態２）
図４は本発明の実施の形態２に係るスピーカ装置の構成を示す分解斜視図、図５は右側断面図である。
本発明の実施の形態２に係るスピーカ装置６は、スピーカボックス１０、スピーカパネル２０、第１ネットとしての布ネット３１、及び第２ネットとしてのパンチングネット４０を備えている。
【００３９】
布ネット３１は、パンチングネット４０からスピーカ装置６の内部が透けて見えるのを防止するためのものであり、黒色又は茶色のような濃色系の布のような材質からなるとともに、パンチングネット４０のピッチより狭ピッチの網目形状を有する。さらに、スピーカパネル２０に設けられた貫通孔２０ａに対応する布ネット３１の位置には、貫通孔２０ａより大きな貫通孔３１ａが設けられている。その他の構成は実施の形態１と同様であるので、対応する部分には同一の符号を付してその詳細な説明を省略する。なお、貫通孔３１ａの大きさが貫通孔２０ａと同一であってもよい。
【００４０】
バスレフポート１４に対応する位置には布ネットが存在しないので、バスレフポート１４を通じて放射した音波によって布ネット３１が振動することはない。したがって、布ネット３１がパンチングネット４０を叩くことを防止して、ビビリ音の発生を防止することができる。
【００４１】
本実施の形態の主旨は、音波の経路にあたる部分の布ネットを切り抜くことによって、バスレフポート１４からの音波によって布ネット３１がパンチングネット４０を叩くことを防止することにあり、貫通孔３１ａは、音波の経路にあたる部分が含まれていればよく、意匠上の観点から、貫通孔３１ａの大きさは小さいことが好ましい。
【００４２】
また、本実施の形態では、パンチングネット４０にはバスレフポート１４に対応する貫通孔が存在しないので、意匠上の観点に優れるとともに、スピーカを保護することができる。
【００４３】
なお、実施の形態では、本発明のスピーカ装置の適用例として液晶表示装置に搭載された形態について説明したが、これら形態に限定されるものではなく、本発明のスピーカ装置は、ＰＤＰ、有機／無機ＥＬ、ＳＥＤなどの表示装置に適用できることは言うまでもなく、また、他の電気機器一般に適用することができる。
【図面の簡単な説明】
【００４４】
【図１】本発明に係るスピーカ装置を搭載した液晶表示装置を示す斜視図である。
【図２】本発明の実施の形態１に係るスピーカ装置の構成を示す分解斜視図である。
【図３】本発明の実施の形態１に係るスピーカ装置の構成を示す右側断面図である。
【図４】本発明の実施の形態２に係るスピーカ装置の構成を示す分解斜視図である。
【図５】本発明の実施の形態２に係るスピーカ装置の構成を示す右側断面図である。
【図６】従来のスピーカ装置の構成を示す断面図である。
【符号の説明】
【００４５】
５，６  スピーカ装置
１０  スピーカボックス
１０ａ  バッフル
１１  高音域用スピーカ（ツイーター）
１２  中音域用スピーカ（スコーカー）
１３  低音域用スピーカ（ウーファー）
１４  バスレフポート
２０  スピーカパネル
２０ａ  貫通孔
３０，３１  布ネット（第１ネット）
３１ａ  貫通孔
４０  パンチングネット（第２ネット）
【図１】
2007104112.tif 000003
【図２】
2007104112.tif 000004
【図３】
2007104112.tif 000005
【図４】
2007104112.tif 000006
【図５】
2007104112.tif 000007
【図６】
2007104112.tif 000008